(57)【特許請求の範囲】
【請求項１】
超音波プローブに取り付け可能なホルダ部と、
前記ホルダ部と結合し、Ｖ字溝を有するベース部と、
前記Ｖ字溝に対応したＶ字突起を有するクリップ部とを備え、
前記Ｖ字溝と前記Ｖ字突起との間で穿刺針を挟持させ、前記穿刺針を前記Ｖ字溝の溝方向に移動可能とする超音波プローブ用穿刺アダプタであって、
前記Ｖ字突起におけるＶ字の角度は、前記Ｖ字溝におけるＶ字の角度より大きいことを特徴とする超音波プローブ用穿刺アダプタ。
【請求項２】
前記Ｖ字溝の壁面が、凹形状の曲面である請求項１記載の超音波プローブ用穿刺アダプタ。
【請求項３】
前記クリップ部に形成され、前記穿刺針を着脱自在とするレバーと、
前記レバーを固定する固定部とを備えた請求項１または２に記載の超音波プローブ用穿刺アダプタ。
【発明の詳細な説明】
【技術分野】
【０００１】
本発明は、医療用超音波診断などに用いられる超音波プローブに装着する超音波プローブ用穿刺アダプタに関するものである。
【背景技術】
【０００２】
被検体から細胞診断用の試料を摂取する場合などにおいて、超音波診断装置を用いて、被検体内の対象部位の位置を特定して、穿刺針を対象部位に刺す場合がある(例えば特許文献１参照)。図４Ａ〜４Ｃは、対象部位に穿刺針を導く、超音波プローブ用穿刺アダプタのガイド部の構成を示す上面図である。図４Ａは比較的大きい径の穿刺針３２ａを対象部位に挿入する場合の状態を示す。図４Ｂは、図４Ａの状態を見やすくするため、穿刺針３２ａを取り除いた状態を示す図である。図４Ｃは小さい径の穿刺針３２ｂを対象部位に挿入する場合の状態を示す図である。
【０００３】
この超音波プローブ用穿刺アダプタのガイド部は、ベース部３７に形成されたＶ字溝３８と、クリップ部３９にＶ字溝３８と対になるように形成されたＶ字突起４０とを有する。ベース部３７とクリップ部３９は、支柱４５で軸固定され、図示していないバネの張力によって、Ｖ字突起４０がＶ字溝３８に対して常に閉じる向きに付勢されている。Ｖ字突起４０とＶ字溝３８により穿刺針３２ａが挟持され、穿刺針３２ａは、Ｖ字溝３８の溝方向（穿刺針３２ａの長手方向）には移動可能で、Ｖ字溝３８の溝方向以外の方向には移動が規制される。図４Ｃに示すように、穿刺針３２ａより径が小さい穿刺針３２ｂを用いる場合には、調整ねじ４３を用いてＶ字溝３８とＶ字突起４０との隙間を可変することにより、穿刺針３２ｂを規制可能である。
【特許文献１】特開平４−１８０７４０号公報
【発明の開示】
【発明が解決しようとする課題】
【０００４】
上記従来の超音波プローブ用穿刺アダプタは、Ｖ字溝３８とＶ字突起４０とのＶ字角が同一角度となるように構成されている。このため、特に径の大きい穿刺針を対象部位に挿入する場合、図４Ｂに示すように、Ｖ字突起４０とＶ字溝３８との間が外側にいくにつれて広く（Ａ’＜Ｂ’）なる。このため、穿刺針３２ａに大きな力が加わった時に、穿刺針３２ａが固定された位置からずれると、穿刺針３２ａが超音波プローブ用穿刺アダプタから外れやすくなる。
【０００５】
本発明は、上記従来の問題を解決するもので、穿刺針の開放を意図しない時には、ガイド部から穿刺針が簡単に外れることがないよう、確実に挟持する超音波プローブ用穿刺アダプタを提供することを目的とする。
【課題を解決するための手段】
【０００６】
本発明の超音波プローブ用穿刺アダプタは、超音波プローブに取り付け可能なホルダ部と、前記ホルダ部と結合し、Ｖ字溝を有するベース部と、前記Ｖ字溝に対応したＶ字突起を有するクリップ部とを備え、前記Ｖ字溝と前記Ｖ字突起との間で穿刺針を挟持させ、前記穿刺針を前記Ｖ字溝の溝方向に移動可能とする。上記課題を解決するために、前記Ｖ字突起におけるＶ字の角度は、前記Ｖ字溝におけるＶ字の角度より大きいことを特徴とする。
【０００７】
また、前記Ｖ字溝の壁面が、凹形状の曲面である構成にすることができる。
【０００８】
また、前記クリップ部に形成され、前記穿刺針を着脱自在とするレバーと、前記レバーを固定する固定部とを備える構成にすることができる。
【発明の効果】
【０００９】
本発明によれば、Ｖ字突起の角度をＶ字溝の角度より大きくすることにより、穿刺針の開放を意図しない時には、ガイド部から穿刺針が簡単に外れることがないよう、確実に挟持する超音波プローブ用穿刺アダプタを提供することができる。
【発明を実施するための最良の形態】
【００１０】
以下、本発明の実施の形態について、図面を用いて説明する。
【００１１】
（第１の実施の形態）
図１は、本発明の第１の実施の形態に係る超音波プローブ用穿刺アダプタの構成を示す斜視図である。超音波プローブ用穿刺アダプタ１は、超音波プローブ（図示せず）に取り付けるためのホルダ部３と、ホルダ部３に結合されたベース部７と、ベース部７に対向して配置されたクリップ部９とを有する。
【００１２】
ホルダ部３には、開閉可能に構成され、超音波プローブを挟み込むことにより、超音波プローブに超音波プローブ用穿刺アダプタ１を取り付け可能なアーム５を有する。アーム５には、超音波プローブと勘合する突起４を有する。超音波プローブの窪みと突起４とを嵌め合わせることにより、超音波プローブ用穿刺アダプタ１を超音波プローブの所定位置に取り付けることができる。固定ねじ６は、締め付けられることによりアーム５が閉じて、超音波プローブ用穿刺アダプタ１が超音波プローブに固定される。ベース部７には、Ｖ字溝８が形成されている。Ｖ字溝８の側面は、それぞれ平面である。
【００１３】
クリップ部９は、支柱１５によりベース部７に軸支されている。グリップ部９の一端には、Ｖ字突起１０が形成され、Ｖ字突起１０がＶ字溝８に対向するように配置されている。クリップ部９のＶ字突起１０が形成された側に対する他端には、レバー１１が形成されている。
【００１４】
Ｖ字突起１０は、Ｖ字の角度がＶ字溝８のＶ字の角度よりも大きく形成されている。ガイド部１２は、Ｖ字溝８とＶ字突起１０とが対向して構成されている。Ｖ字溝８とＶ字突起１０との間に穿刺針２が挿入されることにより、穿刺針２は、Ｖ字溝８の溝方向（穿刺針２の長手方向）には移動可能とされ、Ｖ字溝８の溝方向以外の方向には移動が規制される。クリップ部９の中央内側には、バネ(図示せず)が設けられ、その張力によって、Ｖ字突起１０は、常にＶ字溝８と嵌め合う向きに付勢されている。レバー１１は、指押しされることによって、Ｖ字突起１０をＶ字溝８から離反する向きに移動させる。Ｖ字突起１０が移動することにより、ガイド部１２へ穿刺針２を配置することができる。
【００１５】
更に、クリップ部９には、穿刺針２の針径を調整する調整ねじ１３が形成されている。調整ねじ１３により、適用の穿刺針径に適切な隙間がＶ字溝８とＶ字突起１０との間にもたらされ、Ｖ字溝８とＶ字突起１０とが穿刺針２を挟持する強さを調整することができる。また、ベース部７とクリップ部９とを跨いで、ベース部７に対してクリップ部９の位置を固定するロックねじ（固定部）１４が設けられている。ロックねじ１４を締め付けることにより、レバー１１がロックされ、穿刺術を行なっている際に、誤ってレバー１１が押されても、Ｖ字突起１０が移動しない。したがって、穿刺針２の位置あるいは向きがずれない。
【００１６】
超音波プローブ用穿刺アダプタを用いた穿刺術は、以下のように行われる。まず、操作者が超音波診断装置を操作することにより、超音波プローブから被検体内における対象部位の画像データが取得され、画像がモニタ（図示せず）に表示される。つぎに、操作者が画像を見て穿刺の対象部位の位置を確認し、穿刺針２を穿刺アダプタ１に取り付けて、穿刺針２が対象部位へ挿入される。つぎに、対象部位に穿刺針２が到達した後、操作者は、穿刺アダプタ１から穿刺針２を離し、穿刺針２を用いて組織生検や細胞採取、体液吸引などの処置を行なう。
【００１７】
次に、本実施の形態に係る超音波プローブ用穿刺アダプタ１を詳細に説明する。図２Ａ〜図２Ｃは、図１のガイド部１２を拡大した上面図である。図２Ａは、用いられる穿刺針の最大径の穿刺針２ａを使用した場合の上面図である。図２Ｂは、説明のために、図２Ａから穿刺針２ａを取り除いた場合の上面図である。図２Ｃは、穿刺針２ｂが対象部位に挿入される場合のガイド部１２の構成を示す上面図である。
【００１８】
図２Ａにおいて、ベース部７には、支柱１５によってクリップ部１３を回転可能に取り付けられている。この構成により、調整ねじ１３により、ベース部７とクリップ部９との隙間を広げると、Ｖ字溝８とＶ字突起１０との隙間も広くなり、ベース部７とクリップ部９との隙間を狭めるとＶ字溝８とＶ字突起１０との隙間も狭くなる。穿刺針２ａは、Ｖ字溝８のＶ字壁面とＶ字突起１０の頂点との間で挟持されている。
【００１９】
図２Ｂに示すように、Ｖ字突起１０は、Ｖ字の角度θｂが、Ｖ字溝８のＶ字の角度θａより大きく形成されている。このため、Ｖ字溝８と裾側におけるＶ字突起１０との隙間Ｂが、Ｖ字突起１０の頂点側におけるＶ字溝８とＶ字突起１０との隙間Ａより狭くなっている。したがって、穿刺針２ａに力が加わっても、周りの空間（隙間）が狭いので移動できず、穿刺針２ａが超音波プローブ用穿刺アダプタ１から外れ難い。
【００２０】
次に、超音波プローブ用穿刺アダプタ１が、用いられる穿刺針の最小径の穿刺針２ｂが対象部位に挿入される場合について説明する。図２Ｃに示すように、最小径の穿刺針２ｂを使用するため、調整ねじ１３を用いて、Ｖ字溝８とＶ字突起１０との間に適切な隙間を設けて、穿刺針２ｂを取り付ける。穿刺針の径が小さいほど図２Ｂに示す隙間Ｂと隙間Ａの差が大きくなる。このため、Ｖ字溝８のＶ字壁面とＶ字突起１０の頂点とで穿刺針２ｂが挟持され、Ｖ字突起１０の裾側で隙間が狭くなっているため、穿刺針２ｂが外れ難い。
【００２１】
以上のように、Ｖ字突起１０のＶ字角をＶ字溝８のＶ字角より大きくすることによって、穿刺針２がガイド部１２の適切な位置から外れ難い。つまり、穿刺針の開放を意図しない時には、ガイド部１２から穿刺針２が簡単に外れることがないよう、確実に挟持することが可能である。
【００２２】
なお、穿刺針２ｂの太さが太くなると、細い穿刺針を対象部位に挿入する場合よりも、クリップ部９が傾き、そのため、図２Ｂに示すＡとＢの差が減少し、ついには、Ａ＜Ｂとなる。そのため、角度θｂは、使用される穿刺針のうち最大径を有する穿刺針を対象部位に挿入する場合でも、Ａ＞Ｂとなるθｂとする。
【００２３】
（第２の実施の形態）
図３Ａ〜図３Ｃは、本発明の第２の実施の形態に係る超音波プローブ用穿刺アダプタのガイド部１２の構成を示す上面図である。本実施の形態に係る超音波プローブ用穿刺アダプタは、第１の実施の形態における構成において、Ｖ字溝８がＶ字面に対してさらに掘り下げられた形状（凹形状）となっている（Ｖ字溝８ｂ）点が異なり、他の構成要素は同様である。本実施の形態に係る超音波プローブ用穿刺アダプタにおいて、第１の実施の形態に係る超音波プローブ用穿刺アダプタと同様の構成要素については、同一の符号を付して説明を省略する。
【００２４】
図３Ａは、最大径の穿刺針２ａを使用した場合のガイド部１２の構成を示す上面図である。図３Ｂは、説明のために、図３Ａから穿刺針２ａを取り除いた場合の上面図である。図３Ａにおいて、Ｖ字溝８ｂの壁面は、第１の実施の形態における図２ＡのＶ字溝８の壁面に対して、凹形状の曲面である。
【００２５】
第１の実施の形態における図２Ｂにおいて、穿刺針が太ければ隙間Ｂと隙間Ａの差が狭くなり、穿刺針が太すぎると、隙間Ａの方が隙間Ｂより長くなる。これは、穿刺針が固定位置からずれると、外れやすくなることを意味する。
【００２６】
本実施の形態に係るＶ字溝８ｂの壁面は、曲面であり、Ｖ字の頂点から外れるにしたがって、頂点から同じだけ離れた点における接線同士のなす角が狭くなる（θｃ＞θｄ）。このため、図３Ｂに示すように、Ｖ字突起１０の裾側におけるＶ字溝８ｂとＶ字突起１０との隙間Ｂ２が、Ｖ字突起１０の頂点側におけるＶ字溝８ｂとＶ字突起１０との隙間Ａ２より狭い。このため、Ｖ字溝８ｂのＶ字壁面とＶ字突起１０の頂点とで穿刺針２ａが挟持され、Ｖ字突起１０の裾側で隙間が狭くなっているため、第１の実施の形態における場合よりも穿刺針２ａがさらに外れ難い。
【００２７】
図３Ｃは、最小径の穿刺針２ｂを使用した場合のガイド部１２の構成を示す上面図である。図３Ａの場合と同様に、Ｖ字溝８ｂは頂点から外れるにつれて、頂点から同じだけ離れた点における接線同士のなす角が狭くなる。そのため、図３Ｂに示した場合と同様に、Ｖ字突起１０の裾側におけるＶ字溝８ｂとＶ字突起１０との隙間が、Ｖ字突起１０の頂点側におけるＶ字溝８ｂとＶ字突起１０との隙間より狭い。このため、Ｖ字溝８ｂのＶ字壁面とＶ字突起１０の頂点とで穿刺針２ａが挟持され、Ｖ字突起１０の裾側で隙間が狭くなっているため、穿刺針２ａが外れ難い。
【００２８】
以上のように、Ｖ字突起１０のＶ字角をＶ字溝８のＶ字角より大きくすることによって、穿刺針２がガイド部１２の適切な位置から外れ難い。
【産業上の利用可能性】
【００２９】
本発明は、ガイド部において、Ｖ字突起のＶ字角度がＶ字溝のＶ字角度より大きく形成することにより、意図しない場合の穿刺針着脱を防止することができ、超音波プローブ用穿刺アダプタとして有用である。
【図面の簡単な説明】
【００３０】
【図１】本発明の第１の実施の形態に係る超音波プローブ用穿刺アダプタの構成を示す斜視図
【図２Ａ】第１の実施の形態に係る超音波プローブ用穿刺アダプタにおいて、最大径の穿刺針を使用した場合のガイド部を拡大した上面図
【図２Ｂ】図２Ａに示す超音波プローブ用穿刺アダプタにおいて、穿刺針を取り除いた状態の上面図
【図２Ｃ】第１の実施の形態に係る超音波プローブ用穿刺アダプタにおいて、最小径の穿刺針を使用した場合のガイド部を拡大した上面図
【図３Ａ】第２の実施の形態に係る超音波プローブ用穿刺アダプタにおいて、最大径の穿刺針を使用した場合のガイド部を拡大した上面図
【図３Ｂ】図３Ａに示す超音波プローブ用穿刺アダプタにおいて、穿刺針を取り除いた状態の上面図
【図３Ｃ】第２の実施の形態に係る超音波プローブ用穿刺アダプタにおいて、最小径の穿刺針を使用した場合のガイド部を拡大した上面図
【図４Ａ】従来の超音波プローブ用穿刺アダプタにおいて、最大径の穿刺針を使用した場合のガイド部を拡大した上面図
【図４Ｂ】図４Ａに示す超音波プローブ用穿刺アダプタにおいて、穿刺針を取り除いた状態の上面図
【図４Ｃ】従来の超音波プローブ用穿刺アダプタにおいて、最小径の穿刺針を使用した場合のガイド部を拡大した上面図
【符号の説明】
【００３１】
１  超音波プローブ用穿刺アダプタ
２、２ａ、２ｂ  穿刺針
３  ホルダ部
４  突起
５  アーム
６  固定ねじ
７  ベース部
８、８ｂ  Ｖ字溝
９  クリップ部
１０  Ｖ字突起
１１  レバー
１２  ガイド部
１３  調整ねじ
１４  ロックねじ
１５  支柱
【図１】
0005111166.tif 000002
【図２Ａ】
0005111166.tif 000003
【図２Ｂ】
0005111166.tif 000004
【図２Ｃ】
0005111166.tif 000005
【図３Ａ】
0005111166.tif 000006
【図３Ｂ】
0005111166.tif 000007
【図３Ｃ】
0005111166.tif 000008
【図４Ａ】
0005111166.tif 000009
【図４Ｂ】
0005111166.tif 000010
【図４Ｃ】
0005111166.tif 000011